(57)【要約】【課題】ディスク固定装置の部品点数を削減する。【解決手段】ディスク固定装置３は、ロータ本体２１１上においてゴム等の弾性体により形成されるとともに中心軸Ｊ１を中心とする１つの弾性リング部３１、および、樹脂にて形成されるとともに弾性リング部３１の外周に沿っておよそ等間隔に配置される３つの押圧部３２を有し、ロータ本体２１１上に載置されたディスクは、３つの押圧部３２が弾性リング部３１からの弾性力を受けてディスクのエッジを外側へと押圧することによりロータ本体２１１上に固定される。ディスク固定装置３では、弾性リング部３１と３つの押圧部３２とが２色成形により一体的に成形される。これにより、ボールチャック構造を有するディスク固定装置３の部品点数の削減を図ることが実現される。【選択図】図２
2005216449.tif 000002
【特許請求の範囲】
【請求項１】
中心孔を有するディスクを固定するディスク固定装置であって、
所定の中心軸を中心にディスクが載置される載置部と、
前記載置部上において前記中心軸を中心とする円周に沿って配置された複数の押圧部と、
前記複数の押圧部の前記中心軸側にそれぞれ位置する複数の弾性部と、
を備え、
前記複数の押圧部のそれぞれが、対応する弾性部からの弾性力を受けて前記ディスクの中心孔のエッジを少なくとも外側へと押圧することにより、前記ディスクが前記載置部上に固定され、
前記複数の押圧部のそれぞれと対応する弾性部とが２色成形により一体的に成形されたものであることを特徴とするディスク固定装置。
【請求項２】
請求項１に記載のディスク固定装置であって、
前記複数の弾性部より剛性が高く、前記複数の弾性部の前記中心軸側に位置する芯部材をさらに備え、
前記ディスクが前記載置部上に載置されていない状態において、前記複数の弾性部のそれぞれが前記芯部材と当接することを特徴とするディスク固定装置。
【請求項３】
請求項１に記載のディスク固定装置であって、
前記複数の弾性部が、前記中心軸を中心とする１つの弾性リング部材において前記複数の押圧部と対向する部位であることを特徴とするディスク固定装置。
【請求項４】
請求項３に記載のディスク固定装置であって、
前記１つの弾性リング部材の前記中心軸側に前記１つの弾性リング部材より剛性が高い芯部材をさらに備え、
前記ディスクが前記載置部上に載置されていない状態において、前記１つの弾性リング部材の内周面が前記芯部材と当接することを特徴とするディスク固定装置。
【請求項５】
請求項１に記載のディスク固定装置であって、
前記複数の弾性部が、前記中心軸を中心とする１つの弾性中実部材において前記複数の押圧部と対向する部位であることを特徴とするディスク固定装置。
【請求項６】
中心孔を有するディスクを固定するディスク固定装置であって、
所定の中心軸を中心にディスクが載置される載置部と、
前記載置部上において前記中心軸を中心とする円周に沿って配置された複数の押圧部と、
前記複数の押圧部の前記中心軸側にそれぞれ位置する複数の弾性部と、
前記複数の弾性部より剛性が高く、前記複数の弾性部の前記中心軸側に位置する芯部と、
を備え、
前記複数の押圧部のそれぞれが、対応する弾性部からの弾性力を受けて前記ディスクの中心孔のエッジを少なくとも外側へと押圧することにより、前記ディスクが前記載置部上に固定され、
前記複数の弾性部と前記芯部とが２色成形により一体的に成形されたものであることを特徴とするディスク固定装置。
【請求項７】
請求項６に記載のディスク固定装置であって、
前記ディスクが前記載置部上に載置されていない状態において、前記複数の押圧部が前記複数の弾性部とそれぞれ当接することを特徴とするディスク固定装置。
【請求項８】
請求項６または７に記載のディスク固定装置であって、
前記複数の弾性部が、前記芯部の周囲に形成された１つの弾性リング部において前記複数の押圧部と対向する部位であることを特徴とするディスク固定装置。
【請求項９】
請求項６ないし８のいずれかに記載のディスク固定装置であって、
前記複数の押圧部も前記複数の弾性部および前記芯部と共に一体的に成形されたものであることを特徴とするディスク固定装置。
【請求項１０】
ディスク回転用のモータユニットであって、
電動式のモータと、
前記モータの回転部に取り付けられる請求項１ないし９のいずれかに記載のディスク固定装置と、
を備えることを特徴とするモータユニット。
【発明の詳細な説明】
【技術分野】
【０００１】
本発明は、中心孔を有するディスクを固定するディスク固定装置、および、ディスク回転用のモータユニットに関する。
【背景技術】
【０００２】
近年、ビデオゲーム機やコンピュータ等にはＤＶＤ（digital versatile disk）駆動装置やＣＤ（compact disk）駆動装置等のディスク駆動装置が用いられる。ディスク駆動装置にはディスク回転用のモータユニットが設けられ、モータユニットは電動式のモータの回転部に記録ディスクを固定するディスク固定装置が取り付けられることにより構成される。
【０００３】
図１は従来のディスク固定装置９９１の構成を示す断面図であり、図１ではロータ本体９９２および細部の断面の平行斜線の図示を省略している。図１のディスク固定装置９９１は複数の押圧部材９９３および同数のコイルバネ９９４を有し（図１では１つの押圧部材９９３および１つのコイルバネ９９４のみを図示している。）、これらはそれぞれ独立した部材として準備されてロータ本体９９２上に設けられる。ディスク固定装置９９１では、コイルバネ９９４が対応する押圧部材９９３を外側へと押圧することにより載置されるディスクが確実に固定される（このような構造を有するディスク固定装置の一例として、特許文献１参照。）。
【０００４】
なお、特許文献２および３ではそれぞれ、コイルバネを用いないディスク固定装置として、ターンテーブル上から突出して設けられるとともに弾性力によりディスクの中心孔の内周面を押圧してディスクを固定する弾性部材を備えるものが開示されている。
【特許文献１】特開平１１−２１３４９８号公報
【特許文献２】特開２００２−７４７９６号公報
【特許文献３】特開昭６０−２３７６７２号公報
【発明の開示】
【発明が解決しようとする課題】
【０００５】
ところが、図１の従来のディスク固定装置のように複数の押圧部材にてディスクを固定するタイプのものでは、複数の押圧部材や複数のコイルバネ等の多くの部品を１つずつ組み合わせてディスク固定装置が製作されるため、作業が煩雑となるとともに組立に長時間を要してしまう。また、ディスクの高速回転化に伴い、特許文献２や特許文献３のように弾性部材のみでディスクを固定することにより、図１に示す構造の場合と同等のディスク固定性能を得ることも困難となっている。
【０００６】
本発明は上記課題に鑑みなされたものであり、ディスク固定装置の部品点数を削減することにより、容易に組み立てることが可能なディスク固定装置を提供することを主たる目的としている。
【課題を解決するための手段】
【０００７】
請求項１に記載の発明は、中心孔を有するディスクを固定するディスク固定装置であって、所定の中心軸を中心にディスクが載置される載置部と、前記載置部上において前記中心軸を中心とする円周に沿って配置された複数の押圧部と、前記複数の押圧部の前記中心軸側にそれぞれ位置する複数の弾性部とを備え、前記複数の押圧部のそれぞれが、対応する弾性部からの弾性力を受けて前記ディスクの中心孔のエッジを少なくとも外側へと押圧することにより、前記ディスクが前記載置部上に固定され、前記複数の押圧部のそれぞれと対応する弾性部とが２色成形により一体的に成形されたものである。
【０００８】
請求項２に記載の発明は、請求項１に記載のディスク固定装置であって、前記複数の弾性部より剛性が高く、前記複数の弾性部の前記中心軸側に位置する芯部材をさらに備え、前記ディスクが前記載置部上に載置されていない状態において、前記複数の弾性部のそれぞれが前記芯部材と当接する。
【０００９】
請求項３に記載の発明は、請求項１に記載のディスク固定装置であって、前記複数の弾性部が、前記中心軸を中心とする１つの弾性リング部材において前記複数の押圧部と対向する部位である。
【００１０】
請求項４に記載の発明は、請求項３に記載のディスク固定装置であって、前記１つの弾性リング部材の前記中心軸側に前記１つの弾性リング部材より剛性が高い芯部材をさらに備え、前記ディスクが前記載置部上に載置されていない状態において、前記１つの弾性リング部材の内周面が前記芯部材と当接する。
【００１１】
請求項５に記載の発明は、請求項１に記載のディスク固定装置であって、前記複数の弾性部が、前記中心軸を中心とする１つの弾性中実部材において前記複数の押圧部と対向する部位である。
【００１２】
請求項６に記載の発明は、中心孔を有するディスクを固定するディスク固定装置であって、所定の中心軸を中心にディスクが載置される載置部と、前記載置部上において前記中心軸を中心とする円周に沿って配置された複数の押圧部と、前記複数の押圧部の前記中心軸側にそれぞれ位置する複数の弾性部と、前記複数の弾性部より剛性が高く、前記複数の弾性部の前記中心軸側に位置する芯部とを備え、前記複数の押圧部のそれぞれが、対応する弾性部からの弾性力を受けて前記ディスクの中心孔のエッジを少なくとも外側へと押圧することにより、前記ディスクが前記載置部上に固定され、前記複数の弾性部と前記芯部とが２色成形により一体的に成形されたものである。
【００１３】
請求項７に記載の発明は、請求項６に記載のディスク固定装置であって、前記ディスクが前記載置部上に載置されていない状態において、前記複数の押圧部が前記複数の弾性部とそれぞれ当接する。
【００１４】
請求項８に記載の発明は、請求項６または７に記載のディスク固定装置であって、前記複数の弾性部が、前記芯部の周囲に形成された１つの弾性リング部において前記複数の押圧部と対向する部位である。
【００１５】
請求項９に記載の発明は、請求項６ないし８のいずれかに記載のディスク固定装置であって、前記複数の押圧部も前記複数の弾性部および前記芯部と共に一体的に成形されたものである。
【００１６】
請求項１０に記載の発明は、ディスク回転用のモータユニットであって、電動式のモータと、前記モータの回転部に取り付けられる請求項１ないし９のいずれかに記載のディスク固定装置とを備える。
【発明の効果】
【００１７】
請求項１ないし９の発明では、ディスク固定装置の部品点数を削減することができる。
【００１８】
また、請求項２、４および７の発明では、ディスクを違和感なく装着することができる。
【００１９】
また、請求項３、５および９の発明では、部品点数をさらに削減することができる。
【００２０】
請求項１０の発明では、モータユニットを容易に製作することができる。
【発明を実施するための最良の形態】
【００２１】
図２は本発明の第１の実施の形態に係るディスク回転用のモータユニット１を示す平面図であり、図３は図２中の矢印Ａ−Ａの位置での断面を示す図である。なお、図２では後述のカバー部３６を省略した状態を示しており、図３では中心軸Ｊ１から右側のみを図示している。
【００２２】
図３に示すようにモータユニット１は、電動式のモータ２、および、中心孔を有するディスクを固定するディスク固定装置３を備える。モータ２は、回転部であるロータ部２１および固定部であるステータ部２２を有し、ロータ部２１はシャフト２３１およびスリーブ２３２によりステータ部２２に対して回転可能に支持される。
【００２３】
ロータ部２１はステータ部２２側（図３中の下側）に開口する略椀状のロータ本体２１１を有し、ロータ本体２１１の内周面には多極着磁された円環状の界磁用磁石２１２が取り付けられる。また、ロータ本体２１１の中央にはシャフト固定部２１３が設けられ、シャフト固定部２１３にシャフト２３１の一端が固定される。ステータ部２２は円環状のベースプレート２２１を有し、ベースプレート２２１の中央にはロータ部２１側に向かって突出する略円筒状のスリーブ保持部２３３が設けられる。シャフト２３１が回転自在に支持されるスリーブ２３２はスリーブ保持部２３３に圧入されて保持される。スリーブ保持部２３３の外周面には電機子２２２が界磁用磁石２１２に対向して設けられる。電機子２２２には外部の電流供給回路が接続され、供給される電流が制御されることにより、界磁用磁石２１２および電機子２２２により構成される駆動機構がトルクを発生し、シャフト２３１の中心軸Ｊ１を中心としてロータ部２１をステータ部２２に対して回転させる。なお、モータ２の構造は図３に示すものには限定されず、例えば、ボール軸受機構を有するものであってもよい。
【００２４】
図２に示すようにディスク固定装置３は、ロータ本体２１１上においてゴム等の弾性体により形成されるとともに中心軸Ｊ１を中心とする１つの円環状の弾性部（以下、「弾性リング部」という。）３１、および、樹脂にて形成されるとともに弾性リング部３１の外周に沿っておよそ等間隔に配置される３つの押圧部３２を有し、弾性リング部３１と３つの押圧部３２とは２色成形により一体的に成形される。すなわち、弾性リング部３１用と押圧部３２用の２種類の樹脂を用いて一体的に成形が行われる。なお、押圧部３２は弾性リング部３１より剛性が高い。
【００２５】
各押圧部３２は、中心軸Ｊ１側において弾性リング部３１の外周に沿って僅かに広がる支持部３２１、および、支持部３２１の外側に位置するとともに装着されるディスクと当接する当接部３２２により構成される。図３に示すように当接部３２２は、上部においてその断面形状が外側に突出するとともに先端が丸みを帯びた部位３２３（装着されるディスクと摺接する部位であり、以下、「摺接部３２３」という。）を有し、摺接部３２３のロータ本体２１１側の面３２４は下方に向かうにつれて緩やかに湾曲しつつ内側に傾斜する。摺接部３２３の下方には、ディスク未装着時において面３２４と当接する補助部３４がロータ本体２１１の上面に設けられ、補助部３４により押圧部３２が中心軸Ｊ１側へと付勢されて弾性リング部３１の３つの押圧部３２に対向する３つの部位が僅かに弾性変形する。
【００２６】
弾性リング部３１の内周面には半円状の断面形状を有する環状突出部３１１が設けられる。また、弾性リング部３１の中心軸Ｊ１側には弾性リング部３１より剛性が高い円筒状の芯部３３が設けられ、環状突出部３１１の先端が芯部３３の外周面に常に当接する。
【００２７】
図２のディスク固定装置３は、弾性リング部３１の周囲を囲む外周壁３５と外周壁３５の上端から内側を覆うカバー部３６（図３参照）をさらに有する。外周壁３５の周方向等間隔の３箇所には押圧部３２より幅が僅かに広い間隙３５１（正確には、支持部３２１および当接部３２２におよそ沿うようにして形成された間隙）が対応するカバー部３６の一部までを切り欠いて設けられ、押圧部３２が間隙３５１に嵌め込まれることにより摺接部３２３の先端が外周壁３５より外側に僅かに突出する。間隙３５１では、図２に示すように外周壁３５の外方が当接部３２２に対応し、内方が支持部３２１に対応する形状であって、底面側に補助部３４が設けられ、さらに、図３に示すようにカバー部３６から半径方向外側に突出する突起３６１が設けられている。突起３６１は図２に示す押圧部３２の凹部３２ａ内に位置し、押圧部３２の上方への移動を規制する。外周壁３５と弾性リング部３１との間には、円弧状の間隙３５０が互いに隣接する押圧部３２の間の３箇所に形成される。
【００２８】
外周壁３５と芯部３３とカバー部３６とは一体的に成形されて弾性リング部３１および押圧部３２を収容するケースとしての役割を果たす。
【００２９】
図２に示すようにロータ本体２１１上において外周壁３５のさらに外側にはゴム製の環状部材３７が設けられる。環状部材３７はロータ本体２１１上に載置されるディスクの下面と当接する。
【００３０】
モータユニット１が組み立てられる際には、押圧部３２と一体的に成形された弾性リング部３１を弾性変形させつつ押圧部３２が間隙３５１に、弾性リング部３１がケースの芯部３３にそれぞれ嵌入され、この芯部３３がロータ本体２１１のシャフト固定部２１３に圧入されることにより、そのケースの下側がロータ本体２１１にて閉塞されてディスク固定装置３が組み立てられ、同時にディスク固定装置３がロータ部２１に取り付けられてモータユニット１が完成する。ディスク固定装置３は従来のように、押圧部材とコイルバネが個別に組み合わされる複雑な構造ではないので、容易に組み立てられる。
【００３１】
図４．Ａないし図４．Ｃはディスク固定装置３が中心孔を有するディスク９を固定する様子を説明するための図である。なお、図４．Ａないし図４．Ｃではロータ本体２１１の断面を示す平行斜線の図示を省略している。
【００３２】
ディスク９をディスク固定装置３に固定する際には、中心軸Ｊ１を中心にディスク９がロータ本体２１１上に載置される。具体的には、まず、図４．Ａに示すようにディスク９の中心孔９１の下側のエッジ９１１が、ロータ本体２１１上において中心軸Ｊ１を中心とする円周に沿って配置された複数の押圧部３２に当接する。ディスク９が下方へと押し込まれると、エッジ９１１が摺接部３２３の上側形状の作用により押圧部３２を下方に移動するとともに補助部３４によって中心軸Ｊ１側へと押圧する。これにより、押圧部３２が外周壁３５の間隙３５１近傍の部位によりガイドされて中心軸Ｊ１側へと円滑に移動し（図２参照）、弾性リング部３１において３つの押圧部３２と対向する部位が芯部３３との間で弾性変形する。このとき、弾性リング部３１が芯部３３に常時当接しているため、押圧部３２の移動と同時に弾性リング部３１が変形し、押圧部３２が中心軸Ｊ１側へと移動する距離に従って弾性リング部３１からの弾性力（弾性変形により生じる力）が変化する。実際には、押圧部３２の通常の移動距離に対して、弾性リング部３１からの弾性力がおよそ線形に変化することが確認されており、換言すれば、図４．Ａに示す状態においてはディスク９の押し込み量が増すにつれて、弾性リング部３１が押圧部３２を水平方向に押す力が次第に増大する。例えば、中心軸Ｊ１に対してディスク９が偏心して押圧部３２へと案内されると、ある押圧部３２はエッジ９１１から大きな押圧力を受け、逆に他の押圧部３２はそれ程押圧力を受けない。これら押圧力の相互作用によってディスク９が調芯され、正確な位置決めがされる。
【００３３】
ディスク９のエッジ９１１は中心軸Ｊ１側へと退避する摺接部３２３の表面を摺接して下方へと移動し、摺接部３２３の最も外側の部位まで到達すると、押圧部３２の移動が停止して図４．Ｂに示すように摺接部３２３の先端とディスク９の中心孔９１の内周面とが当接する。
【００３４】
ディスク９が下方へとさらに押し込まれると、図４．Ｃに示すようにディスク９の下面が環状部材３７に当接し、ディスク９が中心軸Ｊ１を中心にロータ本体２１１上に載置される。そして、３つの押圧部３２のそれぞれは、弾性リング部３１の対向する部位からの弾性力を受けて幾分ディスク９側に戻り、ディスク９の上側（ロータ本体２１１とは反対側）のエッジ９１２を外側へと押圧する。このとき、３つの押圧部３２は１つの弾性リング部３１から同等の弾性力を受けるため、ディスク９が精度よく調芯されるとともに、押圧部３２の面３２４によりエッジ９１２に対してディスク９をロータ本体２１１（載置部）側に押圧する力も作用し、ディスク９は環状部材３７に押し付けられてロータ本体２１１上に固定される。このように、ディスク固定装置３では、押圧部３２が弾性部からの弾性力を受けてディスク９の中心孔９１の上側のエッジ９１２を少なくとも外側へと押圧することにより、ディスク９がロータ本体２１１上に固定される。
【００３５】
以上のように、ディスク固定装置３では、ロータ本体２１１上に載置されるディスク９の中心孔９１の内周面に沿って配置される複数の押圧部３２と、複数の押圧部３２を弾性力により中心孔９１の内周面に垂直な方向に押圧する１つの弾性リング部３１とが２色成形により一体的に成形される。これにより、いわゆるボールチャック構造を有するディスク固定装置３の部品点数の削減を図ることが実現され、図１の従来のディスク固定装置のように煩雑な作業を行うことなく、短時間にディスク固定装置３を組み立てることができ、その結果、ディスク固定装置３の製作コストの削減を図ることができる。
【００３６】
また、ディスク９がロータ本体２１１上に載置されていない状態において弾性リング部３１が芯部３３に当接しない場合には、ディスクの装着時にディスク９の押し込みに抵抗する力が急激に変化して作業者がディスクの装着に違和感を感じることがあるが、ディスク固定装置３では弾性リング部３１の内周面が芯部３３と常時当接することにより、押し込みに抵抗する力がディスクの装着と同時に滑らかに変化するためディスク９を違和感なく装着することができる。さらに、ディスク固定装置３がモータ２のロータ部２１に取り付けられることにより、ディスク９を適切に固定して回転するモータユニット１を容易に製作することができる。
【００３７】
図５はモータユニット１の他の例に係るディスク固定装置３ａを示す平面図であり、図５では外周壁３５より中心軸Ｊ１側のみを図示している。図５のディスク固定装置３ａでは図２および図３のディスク固定装置３と比較して、弾性リング部３１が独立する３つのブロック状の弾性部３１ａに置き換えられるとともに芯部３３ａの形状が異なる点で相違する。他の構成はディスク固定装置３と同様であり、同符号を付している。
【００３８】
図５のディスク固定装置３ａでは、３つの押圧部３２の中心軸Ｊ１側に３つの弾性部３１ａがそれぞれ位置し、３つの押圧部３２のそれぞれと対応する弾性部３１ａとが２色成形により一体的に成形される。略円筒状の芯部３３ａは、３つの弾性部３１ａの中心軸Ｊ１側に位置し、３つの弾性部３１ａにそれぞれ対向する３つの平面３３１ａを有する。また、ディスクがロータ本体２１１に載置されていない状態において、３つの弾性部３１ａのそれぞれは芯部３３ａの平面３３１ａと当接する。これにより、中心孔を有するディスクを滑らかに装着して固定することができる。
【００３９】
以上の構造により、図５のディスク固定装置３ａでは、図１の従来のディスク固定装置と比較して部品点数を削減することができる。また、弾性部３１ａが簡素な形状とされるため、ディスク固定装置３ａの設計を容易に行うことができる。
【００４０】
図６はモータユニット１のさらに他の例に係るディスク固定装置３ｂの一部を示す平面図である。図６のディスク固定装置３ｂでは中心軸Ｊ１を中心とする円柱状の１つの中実の弾性部（以下、「弾性中実部」という。）３１ｂが設けられ、シャフト固定部２１３を装着する位置決め用の凹部を確保しつつ弾性中実部３１ｂと３つの押圧部３２とが２色成形により一体的に成形される。ここでのケースはカバー部と外周壁３５とにより形成される。ディスク固定装置３ｂでは、ディスク装着時に弾性中実部３１ｂにおいて３つの押圧部３２と対向する部位が弾性変形し、押圧部３２を外側へと押圧することによりディスクがロータ本体２１１上に固定される。このように、押圧部３２と一体的に成形された弾性中実部３１ｂを有するディスク固定装置３ｂでは、部品点数をさらに削減することが実現されるとともに、芯部３３（図２参照）を設けることなくディスクを滑らかに装着することが可能となる。
【００４１】
図７は本発明の第２の実施の形態に係るモータユニットのディスク固定装置３ｃの一部を示す平面図である。なお、第２の実施の形態に係るディスク固定装置３ｃでは、図２および図３のディスク固定装置３と比べてロータ本体２１１上の外周壁３５より中心軸Ｊ１側の構成のみが異なるため、図７では外周壁３５より中心軸Ｊ１側のみを図示している。
【００４２】
図７のディスク固定装置３ｃは、ロータ本体２１１上において外周壁３５に沿っておよそ等間隔に３つの押圧部３２が配置され、３つの押圧部３２の中心軸Ｊ１側にはそれぞれ３つのブロック状の弾性部３１ｃが設けられる。３つの弾性部３１ｃの中心軸Ｊ１側には円筒状の芯部３３ｃが形成され、ゴム等の弾性材料により形成される３つの弾性部３１ｃと弾性部３１ｃより剛性が高い芯部３３ｃとが２色成形により一体的に成形される。ここでのケースはカバー部と外周壁３５とからなる部位が芯部３３ｃとは別体で形成される。ディスク固定装置３ｃではディスクがロータ本体２１１上に載置されていない状態において、３つの押圧部３２が３つの弾性部３１ｃとそれぞれ当接する。
【００４３】
ディスク固定装置３ｃにおいてディスクが装着される際には、図２および図３のディスク固定装置３と同様に、ディスクのエッジが押圧部３２と当接することにより押圧部３２が中心軸Ｊ１側へと移動し、弾性部３１ｃが弾性変形する。このとき、各押圧部３２が外周壁３５の間隙３５１近傍の部位によりガイドされて円滑に移動するとともに、対応する弾性部３１ｃと常時当接するため、ディスクは滑らかに押し込まれる。そして、ディスクが環状部材３７と当接する位置まで到達すると（図４．Ｃ参照）、３つの押圧部３２のそれぞれが、対応する弾性部３１ｃからの弾性力を受けてディスクの中心孔のエッジを少なくとも外側へと押圧することにより、中心軸Ｊ１を中心にディスクがロータ本体２１１上に固定される。
【００４４】
以上のように、ディスクを適切に固定することが可能なディスク固定装置３ｃでは、３つの弾性部３１ｃと１つの芯部３３ｃとが２色成形により一体的に成形されるため、ディスク固定装置３ｃの部品点数を削減することができ、その結果、ディスク固定装置３ｃおよびモータを有するモータユニットを容易に製作することができる。
【００４５】
ところで、ディスク固定装置３ｃにおいて、３つの弾性部３１ｃおよび芯部３３ｃと共に３つの押圧部３２が一体的に成形されてもよい。この場合も部品点数がさらに削減され、組立は、外周壁３５およびカバー部を備える部材内に、芯部３３ｃ、弾性部３１ｃおよび押圧部３２を備える部材を固定し、これをシャフト固定部２１３に装着する作業のみとなる。
【００４６】
図８は図７のディスク固定装置３ｃの他の例に係るディスク固定装置３ｄを示す平面図である。図８のディスク固定装置３ｄでは図７のディスク固定装置３ｃと比較して、３つのブロック状の弾性部３１ｃが１つの円環状の弾性部（以下、「弾性リング部」という。）３１ｄに置き換えられる点で相違する。他の構成はディスク固定装置３ｃと同様である。
【００４７】
図８のディスク固定装置３ｄでは、芯部３３ｃと芯部３３ｃの周囲に形成された弾性リング部３１ｄとが２色成形により一体的に成形される。３つの押圧部３２は図７のディスク固定装置３ｃと同様に外周壁３５に沿っておよそ等間隔に配置され、各押圧部３２が弾性リング部３１ｄの外周面と当接する。そして、ディスクを装着する際には、弾性リング部３１ｄにおいて押圧部３２と対向する部位が弾性変形し、ディスクがロータ本体２１１に載置された状態において、当該部位が押圧部３２を外側へと押圧することによりディスクが固定される。
【００４８】
ここで、ディスク固定装置３ｄを組み立てる際には、芯部３３ｃおよび弾性リング部３１ｄが１つの円環状の部材とされるため、当該部材の向きを考慮する必要がなく、部品点数が削減されるとともにさらに容易に組み立てることが可能となる。また、円環状の弾性体により押圧部３２が付勢されるため、図２のディスク固定装置３の場合と同様に、３つの押圧部３２によるディスクへの圧力のばらつきを抑制することができ、調芯性能を容易に向上することも実現される。
【００４９】
なお、設計によっては、図８のディスク固定装置３ｄにおいて３つの押圧部３２も弾性リング部３１ｄおよび１つの芯部３３ｃと共に一体的に成形されてもよく、これは、図２および図３のディスク固定装置３において芯部３３も３つの押圧部３２および１つの弾性リング部３１と共に一体的に成形した場合と近似したものとなる。これにより、ディスク固定装置の部品点数をさらに削減することができる。
【００５０】
以上、本発明の実施の形態について説明してきたが、本発明は上記実施の形態に限定されるものではなく、様々な変形が可能である。
【００５１】
ディスク固定装置では複数の押圧部３２を設けることによりディスクをロータ本体２１１上に固定することが実現されるが、ディスクを適切に固定するには３以上の押圧部が設けられることが好ましい。
【００５２】
弾性リング部はリング状であれば、必ずしも厳密な円環状である必要はなく、例えば、図９に示すような形状であってもよい。図９の弾性部３１ｅでは３つの突起部３１１ｅに対応する位置に押圧部が配置される。また、中実の弾性部や芯部も同様に様々な形状とすることができる。ロータ本体２１１にディスクが載置されていない状態において、第１の実施の形態における弾性部および芯部、または、第２の実施の形態における弾性部および押圧部が互いに当接する部位の形状は様々なものとすることができ、例えば、図２の弾性部と芯部との間で全周が一律に当接するのではなく、部分的に当接していてもよい。なお、ディスク未装着時に当接しない構成であってもディスクの固定に支障がある訳ではない。
【００５３】
上記実施の形態におけるディスク固定装置では、ディスクを精度よく調芯することも実現されるが、例えば、外周壁３５に調芯用の補助バネ（例えば、外周壁に沿って立設された板バネ）が形成される等、別途調芯機構が設けられてもよい。図５、図７および図８のディスク固定装置では、押圧部または弾性部が移動する際に横ずれの恐れがある場合は、各図に破線にて示すようなガイド壁３９をケースまたはカバーに設けるとよい。
【００５４】
モータユニットでは、ロータ本体２１１によりディスク固定装置の載置部（いわゆる、ターンテーブル）としての役割が果たされるが、ロータ本体２１１とは別にターンテーブルの部材が、ロータ部２１に取り付けられてもよい。
【図面の簡単な説明】
【００５５】
【図１】従来のディスク固定装置を示す断面図である。
【図２】モータユニットを示す平面図である。
【図３】モータユニットを示す断面図である。
【図４．Ａ】ディスクを固定する様子を説明するための図である。
【図４．Ｂ】ディスクを固定する様子を説明するための図である。
【図４．Ｃ】ディスクを固定する様子を説明するための図である。
【図５】ディスク固定装置の他の例を示す図である。
【図６】ディスク固定装置のさらに他の例を示す図である。
【図７】第２の実施の形態に係るディスク固定装置を示す図である。
【図８】ディスク固定装置の他の例を示す図である。
【図９】弾性部の他の例を示す図である。
【符号の説明】
【００５６】
１    モータユニット
２    モータ
３，３ａ〜３ｄ    ディスク固定装置
９    ディスク
２１    ロータ部
３１，３１ａ〜３１ｅ    弾性部
３２    押圧部
３３，３３ａ，３３ｃ    芯部
９１    中心孔
２１１    ロータ本体
９１２    エッジ
Ｊ１    中心軸
【図１】
2005216449.tif 000003
【図２】
2005216449.tif 000004
【図３】
2005216449.tif 000005
【図４．Ａ】
2005216449.tif 000006
【図４．Ｂ】
2005216449.tif 000007
【図４．Ｃ】
2005216449.tif 000008
【図５】
2005216449.tif 000009
【図６】
2005216449.tif 000010
【図７】
2005216449.tif 000011
【図８】
2005216449.tif 000012
【図９】
2005216449.tif 000013